(57)【特許請求の範囲】
【請求項１】
容器（１）の口部（２）に形成された螺条（３）及びその下方に形成された係合部（４）並びに該螺条（３）より上方に形成された上部（５）であって、外周面に短筒（７）が密着する直筒状の上部（５）；該口部（２）の前記螺条（３）より前記上部（５）を、内筒（６）及び前記短筒（７）で圧接挟持する挟持部（８）と、上壁（９）及び掛合部（１０）を有する合成樹脂製中蓋（１１）；前記上壁（９）に形成された裂溝（１２）と裂取部材（１３）；前記中蓋（１１）上に装着された、前記螺条（３）と螺合し、かつ前記短筒（７）と圧接し、前記掛合部（１０）と掛止する掛止部（１４）を有する外筒（１５）、及び蓋体（１６）を有し、前記中蓋（１１）の合成樹脂よりも軟化温度が高く、かつ剛性も大きく、又水の沸点より高い軟化温度を有する合成樹脂製の外蓋（１７）；前記外筒（１５）下端部（１８）に弱化線（１９）を介して設けられた封印リング（２０）；該封印リング（２０）に設けられた前記係合部（４）と係止する係止部（２１）；前記封印リング（２０）の下端から、前記弱化線（１９）に亘って形成された弱化ライン（２２）；から成ることを特徴とする容器及びこれに用いる耐熱キャップ。
【請求項２】
係合部４と係止部２１は上下方向において係止する請求項１記載の容器及びこれに用いる耐熱キャップ。
【請求項３】
係合部４は下方程大径となる斜面２３を有する突条であり、係止部２１は封印リング２０の下端又は内面から内方に突出して形成されている請求項２記載の容器及びこれに用いる耐熱キャップ。
【請求項４】
係合部４と係止部２１は周方向において係止させられている請求項１記載の容器及びこれに用いる耐熱キャップ。
【請求項５】
係合部４及び係止部２１はラチエット機構である請求項４記載の容器及びこれに用いる耐熱キャップ。
【請求項６】
弱化ライン２２は係止部２１に、該係止部２１の上下に亘り延設されている請求項１、２、３、４又は５記載の容器及びこれに用いる耐熱キャップ。
【請求項７】
挟持部８は内側上端部に容器１の口部２の上端部２４と圧接する下向きの突起２５を有している請求項１、２、３、４、５又は６記載の容器及びこれに用いる耐熱キャップ。
【請求項８】
中蓋１１はポリエチレンにより形成され、外蓋１７はポリプロピレンにより形成されている請求項１、２、３、４、５、６又は７記載の容器及びこれに用いる耐熱キャップ。
【請求項９】
弱化線１９はその一部に裂切り困難な強化接続部２６を有し、弱化ライン２２はその近傍に、又はこれに接して形成されている請求項１、２、３、４、５、６、７又は８記載の容器及びこれに用いる耐熱キャップ。
【請求項１０】
封印リング２０は弱化線１９及び弱化ライン２２を裂切る把持片２７を有している請求項１、２、３、４、５、６、７、８又は９記載の容器及びこれに用いる耐熱キャップ。
【発明の詳細な説明】
【０００１】
【発明の属する技術分野】
この発明は瓶等の容器及びこれに用いる耐熱性のある耐熱キャップに関するものである。
【０００２】
【従来の技術】
従来、瓶等の容器と、この容器の口部に装着して用いられるキャップに関しては種々の問題がある。これについて述べると、まず、瓶等の容器に加熱液体を収容して、この容器に合成樹脂製のキャップを装着する場合がある。これは一例を挙げれば酒類、ジュース類等を瓶に充填する場合等に見られる。この場合例えば上記液体が酒類等であれば、その瓶内における充填後の発酵を停止するため、一例として約６５℃程度に加熱し、この加熱した酒類を瓶に充填し、ついでその口部にキャップを装着するのである。
又、充填する液体がジュース等であれば、そのジュースを殺菌しなければならず、このため充填するジュースは一例として８５℃程度に加熱されて充填される。
【０００３】
しかし、上記のような場合次のような問題が生じる。それは現在一般のキャップは、通常柔軟で加工しやすく、かつ価格も安いポリエチレンが用いられる。
しかしポリエチレンは軟化温度が低く、一例としてほぼ８０℃程度で軟化する。このため加熱して収容した前記酒類、ジュース類等の熱が、容器口部を介して上記キャップに伝えられると軟化し、このためキャップに密閉作用をもたらしていたキャップと容器口部の圧接の度合いが減少し、密閉性が低下してしまうのである。又上記のように酒類、ジュース類等のような飲料を収容した容器に装着するキャップは封印機能がなければならない。これは容器内容品が不正に変更されるのを防止するために必要である。更に他の問題としてはその容器の内容の酒類、ジュース類を消費した後、その容器を資源として回収する際にきわめて容易にキャップを外し取ることのできることが要求される。
【０００４】
【発明の解決しようとする課題】
この発明は上記のような各種の課題を解決するためになされたもので、その目的は殺菌、発酵停止等のために加熱した液体を収容した容器にキャップを装着した場合に、上記加熱液体の熱が容器口部を介してキャップにもたらされた際、その熱による密閉の度合いの減少が、実用上差支ない程度に抑制することができ、かつ飲料収容容器として、封印機能を有し、しかも容器の回収に際してはきわめて容易に、容器からキャップを外し取ることのできる容器及びこれに用いる耐熱キャップを提供することである。
【０００５】
【課題を解決するための手段】
前記の目的を達成するこの発明について述べるとそれは、容器１の口部２に形成された螺条３及びその下方に形成された係合部４並びに該螺条３より上方に形成された上部５であって、外周面に短筒７が密着する直筒状の上部５；該口部２の前記螺条３より前記上部５を、内筒６及び前記短筒７で圧接挟持する挟持部８と、上壁９及び掛合部１０を有する合成樹脂製中蓋１１；前記上壁９に形成された裂溝１２と裂取部材１３；前記中蓋１１上に装着された、前記螺条３と螺合し、かつ前記短筒７と圧接し、前記掛合部１０と掛止する掛止部１４を有する外筒１５、及び蓋体１６を有し、前記中蓋１１の合成樹脂よりも軟化温度が高く、かつ剛性も大きく、又水の沸点より高い軟化温度を有する合成樹脂製の外蓋１７；前記外筒１５下端部１８に弱化線１９を介して設けられた封印リング２０；該封印リング２０に設けられた前記係合部４と係止する係止部２１；前記封印リング２０の下端から、前記弱化線１９に亘って形成された弱化ライン２２；から成ることを特徴とする容器及びこれに用いる耐熱キャップである。又、係合部４と係止部２１は上下方向において係止する前記容器及びこれに用いる耐熱キャップである。又、係合部４は下方程大径となる斜面２３を有する突条であり、係止部２１は封印リング２０の下端又は内面から内方に突出して形成されている前記容器及びこれに用いる耐熱キャップである。又、係合部４と係止部２１は周方向において係止させられている前記容器及びこれに用いる耐熱キャップである。又、係合部４及び係止部２１はラチエット機構である前記容器及びこれに用いる耐熱キャップである。又、弱化ライン２２は係止部２１に、該係止部２１の上下に亘り延設されている前記容器及びこれに用いる耐熱キャップである。又、挟持部８は内側上端部に容器１の口部２の上端部２４と圧接する下向きの突起２５を有している前記容器及びこれに用いる耐熱キャップである。又、中蓋１１はポリエチレンにより形成され、外蓋１７はポリプロピレンにより形成されている前記容器及びこれに用いる耐熱キャップである。又、弱化線１９はその一部に裂切り困難な強化接続部２６を有し、弱化ライン２２はその近傍に、又はこれに接して形成されている前記容器及びこれに用いる耐熱キャップである。又、封印リング２０は弱化線１９及び弱化ライン２２を裂切る把持片２７を有している前記容器及びこれに用いる耐熱キャップである。
【０００６】
【作用】
請求項１の発明の作用について述べると、請求項１に示す容器に一例として８５℃に加熱したジュースを収容し、この容器に請求項１の耐熱キャップを装着する。この場合上記ジュースの熱は容器１の口部２を経て中蓋１１の短筒７の前記口部２に対する圧接部分を軟化させ、その圧接が減少し、密閉が減少しそうになる。
しかし前記短筒７の外側には中蓋１１を形成する合成樹脂よりも軟化温度が高く、剛性が大きく、かつ水の沸点よりも高い軟化温度を有する合成樹脂製の外蓋１７の外筒１５が圧接しており、前記短筒７と前記口部２との圧接の減少は、前記短筒１７と外筒１５との圧接により補われて、その密閉性の減少は実用上差支えない範囲に留めることができるのである。従って、ジュース類等を一例として、８５℃に加熱して、前記容器１に収容し、これに前記耐熱キャップを装着したものは、前記のような加熱液体の熱により密閉性の損なわれるのを抑制することができる。この作用を酒類等を約６５℃程度に加熱して収容した場合もほぼ類似の作用を得ることができる。
【０００７】
又請求項１の発明における封印リング２０は、弱化線１９を介して外筒１５の下端部１８に設けられ、かつ該封印リング２０に設けた係止部２１は、容器１の口部２に設けた係合部４に係止しているから、容器１の内容品を不正に変更しようとして、この耐熱キャップを螺解して開放しようとすると、前記弱化線１９が裂切られてしまいその修復は極めて困難である。従って前記封印リング２０により封印機能を果たすことができる。又、前記上壁９を裂取部材１３により裂溝１２から裂切り、そこに形成された通口から内容品を注出し、容器１の内容品を消費した後この容器１を資源として回収する場合は、前記弱化線１９及び弱化ライン２２を裂切ることにより前記封印リング２０を除去できる。従って又封印リング２０を失った前記耐熱キャップは螺条３との螺合を解くことによりきわめて容易に容器１の口部２から外し取ることができる。なお弱化ライン２２を裂切る場合、前記封印リング２０は、中蓋１１等よりも剛性が大きく形成されていることにより、引き裂きの際伸びを起こすことが極めて少なく、従って壮快に裂切ることができる。
【０００８】
かつ又前記掛止部１４及び前記螺条３との螺合部により中蓋１１は上下方向の圧力を受け、前記口部に圧接させられているから、上下方向の圧接も、減少するのを制御することができる。又前記弱化線１９は耐熱性が高いから、弱化部分にかかわらず、口部２の熱により影響されることがない。
【０００９】
請求項２の発明は係合部４と係止部２１は上下方向において係止させられたことにより、容器１の分別回収に際して、この耐熱キャップを螺解する場合、前記係止部２１は、上方移動ができないため、弱化線１９切断の力は直ちに作動し、かつ弱化線１９は剛性が大きく軟化温度の高い外蓋１７の部分として形成されているため、上下方向の伸びが行われにくいため、前記弱化線１９は直ちに壮快に切断できる。
又弱化部分にかかわらず熱による変形等の悪影響も受けることがない。
【００１０】
請求項３の発明は、封印リング２０がこの耐熱キャップの螺合に伴い、斜面２３上面により自動的に大径となるように押し拡げられ、自動的に係止部２１が係合部４に係止することができる。特に係止部２１は剛性が大きく、拡げにくい部分であるにかかわらず、良好に自動的に押し拡げさせ、係止させることができる
。
【００１１】
請求項４の発明は、係合部４と係止部２１は周方向において係止させたことにより、又弱化線１９は剛性の大きい外蓋１７の外筒１５に一体的に形成されているため、上下方向の伸びが行われにくいから、容器１の分別回収の際にこの耐熱キャップを螺解すると、前記弱化線１９を直ちに、壮快に裂切ることができる。又弱化部分にかかわらず、熱による変形等が起らない。
請求項５の発明は係合部４と係止部２１の係止をラチエット機構としたことにより、かつ又、弱化線１９は剛性の大きい外蓋１７の外筒１５に一体的に形成されているため、弱化線１９は伸びにくく形成されているから、ラチエット爪の回動に対する反力は弱化線１９に直達し、この耐熱キャップの螺解の際に直ちに壮快に裂切ることができる。又上記弱化線１９は熱の影響を排除できる。
【００１２】
請求項６の発明は、その構成により封印リング２０の弱化ライン２２を裂切ることにより、自動的に、係止部２１に形成された弱化ライン２２も連続して裂切ることができる。
【００１３】
請求項７の発明は中蓋１１に形成した下向きの突起２５を口部２の上端部２４に対して圧接させたものを、外蓋１７の螺合及び掛止部１４の掛止により下方に押圧しており、このため口部２を伝わる熱により突起２５が軟化して密閉の減少するのを補うことができ、実用上差支えない程度にすることができる。
【００１４】
請求項８の発明は、中蓋９をポリエチレンにより形成し、外蓋７はポリプロピレンにより形成したことにより、容器１に収容した水性の加熱液体による密閉性の減少を実用上差支えない程度に抑制することができる。しかも弱化線１９は弱化部分として形成されていても、容器のもたらす熱による影響を受けないようにすることができる。
【００１５】
請求項９の発明は弱化線１９の一部に裂切り困難な強化接続部２６を設け、弱化ライン２２は該強化接続部２６の近傍に、又はこれに接して形成されたことにより、この耐熱キャップを螺解すれば、自動的に弱化線１９は一部を残して裂切られると共に弱化ライン２２も裂切られるから、容器１回収の際このキャップの容器１からの除去をきわめて容易にすることができる。
請求項１０の発明は封印リング２０に把持片２７を設けたことにより、この把持片２７を外方に引っ張って、剛性の大きい従って裂切りにくい弱化線１２、及び弱化ライン１５を一度に裂切ることができる。
【００１６】
【発明の実施の形態】
図１において１は容器であり、一例として瓶が示されている。この瓶はガラス製でも合成樹脂製でもよく、この場合ガラス製である。そしてその口部２に螺条３が形成され、該螺条３の下方に、後記中蓋１１の係止部２１と係合する係合部４が設けられている。１１は中蓋であり、合成樹脂、一例としてポリエチレンにより形成され、上壁９及び内筒６、及び短筒７を有し、この両筒６、７は前記口部２の螺条３より上部５を圧接挟持する挟持部８を形成いている。１０は上壁９上に設けられた後記外蓋１７と掛合する掛合部を示す。そして上記上壁９の、前記内筒６より内側には無端状の裂溝１２が形成され、かつ裂溝１２内側の上壁９上面に裂取部材１３が設けられている。１７は中蓋１１上に装着された外蓋であり、前記螺条３と螺合し、かつ短筒７と圧接する外筒１５、及び前記掛合部１０と掛止する掛止部１４を有している。この外蓋１７は前記中蓋１１の合成樹脂よりも軟化温度が高く、剛性も大きく、かつ水の沸点よりも高い軟化温度を有している。この外蓋１７の一例をあげるとポリプロピレンである。そして前記外筒は前記短筒７の外側に圧接して設けられている。
【００１７】
次に前記外筒１５の下端部１８には、裂切り易く形成された弱化線１９を介して封印リング２０が設けられており、該封印リング２０下端又は内側に、前記係合部４と係止する係止部２１が設けられている。そしてこの実施例の係止部２１は図１に示すように封印リング２０の下端から半径方向内側に、かつ斜め上方に突出させて形成され、中蓋１１の前記係合部４に、かつその下面に接して設けられている。又該係止部２１についてはその外、図７に示すように封印リング２０の内側に、断面ほぼ三角状に、突起状に形成してもよい。その場合図示のように上面ほぼ水平状に、下面は斜め下方に向く斜面に形成される。
【００１８】
次に前記係合部４については図１に示すように下方程大径となる斜面２３を有する環状の突条に形成された。これによりキャップ螺合の際前記係止部２１を自動的に拡げさせることができる。
そして前記封印リング２０には図２、図３に示すように上下方向に裂切り易い弱化ライン２２が形成されており、その上部は前記弱化線１９に接続されている。又この弱化ライン２２は同図に示すように前記係止部２１にも、その上下に亘って連続して形成されている。但し図７に示すようにこの弱化ライン２２は係止部２１に及ばない場合もある。
【００１９】
なお前記係止部２１は図１においては上下方向に、係合部４に係止したが、これは図５、図６に示すように周方向に係止させてもよい。同図に示すものは係合部４をラチエットに、係止部２１をラチエット爪に形成したものであり、これによりキャップ螺解の際、直ちにラチエット爪が咬みキャップの上昇の力が前記弱化線１９に直達し、爽快に切れるようになっている。
【００２０】
次に図１に示すように前記挟持部８の内側上端部には前記口部２の上端部２４に圧接する突起２５が設けられている。これにより口部上端の密封が保たれ、しかもこの部分は前記外蓋１７により上下方向に加圧されており、前記のように瓶口を伝わる熱による密閉性低下を防止できるようになっている。
図７に示す２６は前記弱化線１９の一部で一個所に形成された裂切困難な強化接続部であり、前記弱化ライン２２はその近傍に、又はそれに接して形成されている。キャップ螺解の際、弱化線１９が切られ、かつ自動的に弱化ライン２２も裂切ることができるようになっている。
即ち、外蓋１７は剛性が大きいのにかかわらず弱化線１９及び弱化ライン２２を一度に裂切ることができる。
【００２１】
次に図２〜図４において２７は把持片であり、前記弱化線１９及び弱化ライン２２の近傍に設けられている。なお２８は裂切り易い連結片を示す。又図４における把持片２７は、封印リング２０に形成した小孔２９により相対的に形成されたものである。
図１において３０はヒンジを示す。
このように形成された耐熱キャップの各部の作用については、この発明の作用の項に述べたので、説明を省略する。
【００２２】
【発明の効果】
請求項１の発明は容器１に一例として８５℃に加熱したジュースを収容し、この容器に請求項１の耐熱キャップを装着する。この場合上記ジュースの熱は容器１の口部２を経て中蓋１１の短筒７の前記口部２に対する圧接部分を軟化させ、その圧接が減少し、密閉が減少しそうになる。
【００２３】
しかし前記短筒７の外側には中蓋１１を形成する合成樹脂よりも軟化温度が高く、剛性が大きく、かつ水の沸点よりも高い軟化温度を有する合成樹脂製の外蓋１７の外筒１５が圧接しており、前記短筒７と前記口部２との圧接の減少は、前記短筒７と外筒１５との圧接により補われて、その密閉性の減少は実用上差支えない範囲に留めることができるのである。
従って、前記のような加熱液体の熱により密閉性の損なわれるのを抑制することができる。
【００２４】
又請求項１の発明における封印リング２０は、弱化線１９を介して外筒１５の下端部１８に設けられ、かつ該封印リング２０に設けた係止部２１は、容器１の口部２に設けた係合部４に係止しているから、容器１の内容品を不正に変更しようとして、この耐熱キャップを螺解して開放しようとすると、前記弱化線１９が裂切られてしまいその修復は極めて困難である。従って前記封印リング２０により封印機能を果たすことができる。又、前記上壁９を裂取部材１３により裂溝１２から裂切り、そこに形成された通口から内容品を注出し、容器１の内容品を消費した後この容器１を資源として回収する場合は、前記弱化線１９及び弱化ライン２２を裂切ることにより前記封印リング２０を除去できる。従って又封印リング２０を失った前記耐熱キャップは螺条３との螺合を解くことによりきわめて容易に容器１の口部２から外し取ることができる。
【００２５】
なお弱化ライン２２を裂切る場合、前記封印リング２０は、中蓋１１等よりも剛性が大きく形成されていることにより、引き裂きの際伸びを起こすことが極めて少なく、従って壮快に裂切ることができる。
かつ又前記掛止部１４及び前記螺条３との螺合部により中蓋１１は上下方向の圧力を受け、前記口部２に圧接させられているから、上下方向の圧接も減少するのを抑制することができる。又前記弱化線１９は耐熱性が高いから、弱化部分にかかわらず、口部２の熱により影響されることがない。
【００２６】
請求項２の発明は係合部４と係止部２１は上下方向において係止させられたことにより、容器１の分別回収に際して、この耐熱キャップを螺解する場合、前記係止部２１は、上方移動ができないため、弱化線１９切断の力は直ちに作動し、かつ弱化線１９は剛性が大きく軟化温度の高い外蓋１７の部分として形成されているため、上下方向の伸びが行われにくいため、前記弱化線１９は直ちに壮快に切断できる。
かつ弱化部分にかかわらず熱による変形等の悪影響も受けることがない。
【００２７】
請求項３の発明は、封印リング２０がこの耐熱キャップの螺合に伴い、斜面２３上面により自動的に大径となるように押し拡げられ、自動的に係止部２１が係合部４に係止することができる。特に係止部２１は剛性が大きく、拡げにくい部分であるにかかわらず、良好に自動的に押し拡げさせ、係止させることができる。
【００２８】
請求項４の発明は、係合部４と係止部２１は周方向において係止させたことにより、又弱化線１９は剛性の大きい外蓋１７の外筒１５に一体的に形成されているため、上下方向の伸びが行われにくいから、容器１の分別回収の際にこの耐熱キャップを螺解すると、前記弱化線１９を直ちに、壮快に裂切ることができる。又弱化部分にかかわらず、熱による変形等が起らない。
請求項５の発明は係合部４と係止部２１の係止をラチエット機構としたことにより、かつ又、弱化線１９は剛性の大きい外蓋１７の外筒１５に一体的に形成されているため、弱化線１９は伸びにくく形成されているから、ラチエット爪の回動に対する反力は弱化線１９に直達し、この耐熱キャップの螺解の際に直ちに壮快に裂切ることができる。
【００２９】
請求項６の発明は、その構成により封印リング２０の弱化ライン２２を裂切ることにより、自動的に、係止部２１に形成された弱化ライン２２も連続して裂切ることができる。
【００３０】
請求項７の発明は中蓋１１に形成した下向きの突起２５を口部２の上端部２４に対して圧接させたものを、外蓋１７の螺合及び掛止部１４の掛止により下方に押圧しており、このため口部２を伝わる熱により突起２５が軟化して密閉の減少するのを補うことができ、実用上差支えない程度にすることができる。
【００３１】
請求項８の発明は、中蓋９をポリエチレンにより形成し、外蓋７はポリプロピレンにより形成したことにより、容器１に収容した水性の加熱液体による密閉性の減少を実用上差支えない程度に抑制することができる。
【００３２】
請求項９の発明は弱化線１９の一部に裂切り困難な強化接続部２６を設け、弱化ライン２２は該強化接続部２６の近傍に、又はこれに接して形成されたことにより、この耐熱キャップを螺解すれば、自動的に弱化線１９は一部を残して裂切られると共に弱化ライン２２も裂切られるから、容器１回収の際このキャップの容器１からの除去をきわめて容易にすることができる。
請求項１０の発明は封印リング２０に把持片２７を設けたことにより、この把持片２７を外方に引っ張って、剛性の大きい弱化線１２、及び弱化ライン１５を一度に裂切ることができる。
【図面の簡単な説明】
【図１】この発明の実施例を示し、容器及びこれに用いる耐熱キャップの断面図である。
【図２】図１に示す容器及び耐熱キャップの正面図である。
【図３】図２の部分の斜視図である。
【図４】この発明の他の実施例を示し、図３に対応する部分の正面図である。
【図５】この発明の更に他の実施例を示し、容器及びこれに用いる耐熱キャップの半断面図である。
【図６】図５の部分の斜視図である。
【図７】この発明の更に他の実施例を示し、耐熱キャップの内面の一部を示す図である。
【符号の説明】
１        容器
２        口部
３        螺合部
４        係合部
５        上部
６        内筒
７        短筒
８        挟持部
９        上壁
１０        掛合部
１１        中蓋
１２        裂溝
１３        裂取部材
１４        掛止部
１５        外筒
１６        蓋体
１７        外蓋
１８        下端部
１９        弱化線
２０        封印リング
２１        係止部
２２        弱化ライン
２３        斜面
２４        上端部
２５        突起
２６        強化接続部
２７        把持片
【図１】
0003893522.tif 000002
【図２】
0003893522.tif 000003
【図３】
0003893522.tif 000004
【図４】
0003893522.tif 000005
【図５】
0003893522.tif 000006
【図６】
0003893522.tif 000007
【図７】
0003893522.tif 000008